(57)【要約】【課題】ワイヤレスコールスピーカーを提供する。【解決手段】電話機のスピーカー端子又は電話機の主装置呼び出し信号端子に接続可能なインターフェース部１と、音増幅部４、レベル検出部２、タイマー部３、信号付加部８、無線送信部９の操作部６と、システム制御部７と、操作部６からシステム制御部７に設定された値で動作するタイマー部３と、システム制御部７に設定された信号付加部８と、増幅部４からの信号の変調を行い無線伝送する無線送信部９と、無線受信部２２で無線伝送された信号を音に変換する無線受信部２２と、信号検出部２５と音をスピーカーに出す増幅部２３と、表示制御部２６と表示器２７、スピーカー２４からなる。【選択図】　　　　図１
2004088387.tif 000002
【特許請求の範囲】
【請求項１】
電話機からのスピーカー端子又は、電話機の主装置の呼び出し信号端子に相当する端子に接続され、その信号レベルで自動的にその信号を無線送信部を経て、無線受信部で増幅しスピーカーから出力する装置であって、前記信号が途切れても一定時間送信を継続するレベル検出部とタイマー部を備え、音信号を無線で離れた場所に送り、無線受信部を設置した場所で、その音信号を再生出力する機能を有することを特徴とするワイヤレスコールスピーカー。
【請求項２】
請求項１に記載のワイヤレスコールスピーカーにおいて、電話機からのスピーカー端子又は、電話機の主装置の呼び出し信号端子に相当する端子に接続され、前記信号レベルで自動的にその信号の音を無線送信部で送信する信号に操作部からシステム制御部にあらかじめプログラムされた表示信号を、音情報と混合する機能を備え、かつその両方の信号を無線送信機で送信し、無線受信部はその混合された信号を検知する機能を備え、音を再生すると同時に
表示信号に応じた内容の表示器を備えることを特徴とするワイヤレスコールスピーカー。
【発明の詳細な説明】
【０００１】
【発明の属する技術分野】
この発明はワイヤレスコールスピーカーに関するものである。
【従来の技術】
【０００２】
一般に、電話機のスピーカーから聞こえる範囲は電話機周辺に限られ、電話機から離れている場合には、着信音及び呼び出し音声を聞くことは困難である。これを解決するために、電話機のスピーカー端子から、有線で離れたところまで延長配線を行い、スピーカーを設置するのが一般的である。また電話機の主装置から、呼び出し信号線が出ている場合、その信号を必要とされる場所まで配線を行い、必要とする場所に設置する。しかし配線工事は、既存の建造物の中でどこでも設置配線可能な場合は少なく、建築物に配線のための改造が必要な場合、多大の工事費用が発生するのが一般的である。また公道を隔てたところの配線では、認可の手続きが必要なる場合もあり、費用だけではなく工事完了まで長期間になる場合も多い。なお従来のスピーカーからの音の情報を配線延長では、スピーカーから出す方法では、スピーカーから接続した音を再生するだけであり、その音は周囲の雑音が大きい場合、又は出力される音が小さい場合、その呼び出しが聞こえないという問題もあった。
【０００３】
【発明が解決しようとする課題】
しかしながら、前述のように、電話機のスピーカー端子又は、電話機の主装置から呼び出し用信号を有線で配線延長することは、技術的には簡単であり信号線も比較的安価であるにもかかわらず、実際に配線するには、既存建築物に合う配線方法が必要で、配線のための壁の穴開け、床又は天井での配線、また配線のための床の張り替え、新たな配管等が必要になる場合が多く、スピーカー信号の延長という簡単な技術であるが、配線を行う時間と費用が発生し、簡単には設置できない場合が多い。また、設置ができても、雑音の多い環境とか、スピーカーからの出力音量が小さい場合は、多大の費用をかけても、呼び出しが聞こえない等、満足できない場合もある。これらの問題を解決するために、配線工事が必要でなくなる無線機を接続してワイヤレスにする方法も考えられるが、一般的に無線機は送信を開始する信号制御が必要であり、ただ電話機のスピーカー端子又は電話機の主装置呼び出し信号端子に接続しても、無線機を動作させることはできない。更に人為的に無線送信するようにした場合でも、無線受信部のスピーカー出力が小さく、周囲の雑音が多い場合、呼び出し信号が聞き取れない、又は気づかない場合もある。
【０００４】
この発明は、このような実情に鑑み、電話機のスピーカー端子又は電話機の主装置呼び出し信号端子に接続して、その信号を自動的に検出し、その信号が断続しても、無線送信を自動的に継続し、また信号がある時間切れた場合は、自動的に無線送信を止めるタイマー部を持ち、操作部より、タイマー時間の制御、無線送信部の制御、音増幅部の制御を可能とし、また操作部から音信号と同時に、雑音の環境で音が聞こえない場合でも呼び出しがあることを認識できる表示信号を同時に送り、配線工事が不要で、雑音で呼び出しが聞こえない場合でも、呼び出しがわかるワイヤレスコールスピーカーを提供しようとするものである。
【０００５】
【課題を解決するための手段】
この発明はワイヤレスコールスピーカーに関するものである。電話機のスピーカー端子又は電話機の主装置呼び出し信号端子に接続可能なインターフェース部を設け、それから得られる信号を増幅する音増幅部、レベル検出、音増幅部、タイマー部、信号付加部、無線送信部を制御操作設定するための操作部とシステム制御部を設け、音増幅部から得られた信号を操作部、システム制御部で設定された値と比較レベル検出部を設け、操作部からシステム制御部に設定された値で動作するタイマー部を設け、音増幅部からの信号に操作部からシステム制御部に設定された信号付加部を設け、音増幅部からの信号と信号付加部からの表示信号を混合する機能を設け、その信号の変調を行い無線伝送する無線送信部を備える。受信部では無線伝送された信号を音に変換する無線受信部と、音とともに送られた信号を検知する検知部と音をスピーカーに出す音増幅部と表示信号を表示制御行う表示制御部と表示器、スピーカーを設ける。
上記手段によれば、以下のような作用が得られる。
【０００６】
【発明の実施の形態】
次に、この発明の実施の形態について図面を参照して説明する。
図１は、この発明のワイヤレスコールスピーカー実施の一形態を示すブロック図である。図１の２８は電話機のスピーカー接続端子又は電話機の主装置呼び出し信号端子に相当する端子である。この端子２８からの電気的な接続を行う接続信号線２９にインターフェース部１を設け、電気的な整合を図る。これによって得られた音信号は、音増幅部４によって適正なレベルまで信号を増幅又は減衰させる。この増幅又は減衰レベルは、操作部６でシステム制御部７に設定した値でコントロールされる。音増幅部４からレベル検出部２への音信号は分岐し、操作部６でシステム制御部７に設定した値でレベル検出されタイマー部３へ起動信号又は終了信号を送る。操作部６でシステム制御部７に設定した値より増幅部４から得られる信号レベルが大きい場合、起動信号としタイマー部の操作部６でシステム制御部７に設定した値でタイマー部３のタイマーがスタートする。
【０００７】
一般に音の信号は常に変化しておりレベル比較が難しいため、音をレベル検出部２内で検波を行い、平均化処理を行い、設定された値と比較する。得られた起動信号でタイマー部３の設定されたタイマーをスタートさせるが、このタイマーの値は電話着信呼び出し音の周期より長くし、このタイマーが終了する前に再度起動信号を受けた場合、タイマーはクリアーし、起動信号受信した時から再度カウントを始める。
【０００８】
タイマー時間内に起動信号が続いて入力される場合、最後の起動信号を受けた時からタイマー時間を経過しなければタイマーは終了しない。この適正なタイマー値は操作部６でシステム制御部７に設定した値で決められる。またこのタイマー部３はシステム制御部のＣＰＵ機能によって兼務させることも可能である。このタイマー部３の信号を受けたシステム制御部７は無線送信部９を動作させて音増幅部４からの信号を変調し、アンテナ１０から送信する。
【０００９】
この時、操作部６でシステム制御部７に表示信号付加設定がされていれば、信号付加部８で無線送信部９に変調可能な信号を作り、音増幅部４の信号と、信号付加部８の信号を信号混合部５で混合し、一つの信号として無線送信部９の変調を行う。操作部６でシステム制御部７に設定した表示信号は、あらかじめ決められたパターン信号を作り、信号混合部５に送る。
【００１０】
無線送信部９で送信された電波は、離れた場所に設置した無線受信部２２によりアンテナ２１を介して受信する。受信された電波は無線受信部２２により音に再変換され、その信号の中から信号検知部２５により、操作部６でシステム制御部７に表示信号付加設定された信号があれば取り出し、その信号に含まれるパターン信号を表示制御部２６に送り、表示制御部２６は表示器２７を制御する。無線受信部で音に変換した信号は音増幅部２３でスピーカー出力可能な大きさまで増幅し、スピーカー２４に出力する。
【００１１】
無線受信機２２は、無線送信部９がレベル検出２、タイマー部３、システム制御部７、無線送信部９という流れで、送信を制御されているため、タイマー３で設定されタイムが更新を続けた時間だけ無線送信するので、スピーカー２４による音を出す時間は、無線送信部９の電波を受信している時間に限られ、受信していない時は音増幅部を止め、雑音が出ないようにする。また同時に、表示制御部２６も上記同様に無線送信部９の電波を受信している時間に限り動作するようにしておく。
こうして、インターフェース部１から得られた音信号は、表示信号を付加され遠く離れて配線が困難な場所に設置した無線受信部２２に接続されたスピーカー２４からの呼び出し音と呼び出し信号がわかる表示を確認することができる。
【００１２】
なおこの発明のワイヤレスコールスピーカーは、上述の図示例にのみ限定されるものではなく、この発明の精神を逸脱しない範囲内において、種々変更を加えうることはもちろんである。
【００１３】
【発明の効果】
この発明のワイヤレスコールスピーカーによれば、今まで配線が困難であった場所に、電話機のスピーカー端子又は電話機の主装置の呼び出し信号端子に、無線機接続を考慮されていない状態であっても、簡単に接続ができ、信号があると自動的に無線送信を始め、信号が無くなると自動的に無線送信を停止し、それに応じて無線受信部のスピーカーから自動的に呼び出し音が出て、呼び出し表示が開始、終了し、配線による工事費用の削減、簡単な取り付け、配線では不可能な場所への設置、無線受信部を多数設置して同報機能の追加、表示による呼び出し確認機能で音が聞こえにくい場所で使用可能、聴覚障害者への対応も可能という優れた効果を奏しうる。
【図面の簡単な説明】
【図１】この発明のワイヤレスコールスピーカーの実施の形態を示すブロック図である。
【符号の説明】
１　　　インターフェース部
２　　　レベル検出部
３　　　タイマー部
４　　　音増幅部
５　　　信号混合部
６　　　操作部
７　　　システム制御部
８　　　信号付加部
９　　　無線送信部
１０　　送信アンテナ
２１　　受信アンテナ
２２　　無線受信部
２３　　音増幅部
２４　　スピーカー
２５　　信号検出部
２６　　表示制御部
２７　　表示器
２８　　端子
２９　　接続信号線
【図１】
2004088387.tif 000003